(57)【要約】  実質無偏向照明光を供給するバックライトユニット (５６)、バックライトユニット（５６）近傍に配置され入射してくる実質無偏向照明光を受光し実質偏向照明光を出射する背部偏光器（５０ｂ）、実質偏向照明光の偏向状態を選択的に且つ画素毎に変調することにより表示ビームを生成する液晶型光空間変調器、並びに液晶型光空間変調器と前部偏光器（５０ａ）との間に配置され暗状態光の一部をバックライトユニット（５６）方向に反射する反射型偏光器（５２ａ）によって、液晶ディスプレイ（２０）を構成する。
2008512731.tif 000002
【特許請求の範囲】
【請求項１】
（ａ）実質無偏向照明光を供給するバックライトユニットと、
（ｂ）バックライトユニット近傍に配置され入射してくる実質無偏向照明光を受光し実質偏向照明光を出射する背部偏光器と、
（ｃ）実質偏向照明光の偏向状態を選択的に且つ画素毎に変調することにより表示ビームを生成する液晶型光空間変調器と、
（ｄ）液晶型光空間変調器と前部偏光器との間に配置され暗状態光の一部をバックライトユニット方向に反射する反射型偏光器と、
を備える液晶ディスプレイ。
【請求項２】
請求項１記載の液晶ディスプレイであって、反射型偏光器が液晶型光空間変調器の表面に結合された液晶ディスプレイ。
【請求項３】
請求項１記載の液晶ディスプレイであって、反射型偏光器の光透過率が７５％超である液晶ディスプレイ。
【請求項４】
請求項１記載の液晶ディスプレイであって、背部偏光器とバックライトユニットとの間に配置された第２の反射型偏光器を備える液晶ディスプレイ。
【請求項５】
請求項１記載の液晶ディスプレイであって、背部偏光器とバックライトユニットとの間に配置されたコリメーティング膜を備える液晶ディスプレイ。
【請求項６】
請求項１記載の液晶ディスプレイであって、補償膜を備える液晶ディスプレイ。
【請求項７】
請求項１記載の液晶ディスプレイであって、前部偏光器の光透過軸と背部偏光器の光透過軸が±１０°以内の精度で平行である液晶ディスプレイ。
【請求項８】
請求項１記載の液晶ディスプレイであって、前部偏光器の光透過軸と背部偏光器の光透過軸が±１０°以内の精度で直交する液晶ディスプレイ。
【請求項９】
請求項１記載の液晶ディスプレイであって、前部偏光器の光透過軸と反射型偏光器の光透過軸が±１０°以内の精度で平行である液晶ディスプレイ。
【請求項１０】
請求項１記載の液晶ディスプレイであって、反射型偏光器がワイヤグリッド偏光器である液晶ディスプレイ。
【請求項１１】
請求項１記載の液晶ディスプレイであって、反射型偏光器が多層干渉型偏光器を含む液晶ディスプレイ。
【請求項１２】
請求項１記載の液晶ディスプレイであって、反射型偏光器が１／４波長リターダ付の円偏光器を含む液晶ディスプレイ。
【請求項１３】
請求項１記載の液晶ディスプレイであって、バックライトユニットがその出力を制御可能な少なくとも１個の光源を備える液晶ディスプレイ。
【請求項１４】
請求項１３記載の液晶ディスプレイであって、光源が１個又は複数個の発光ダイオードを含む液晶ディスプレイ。
【請求項１５】
（ａ）実質無偏向照明光を供給するバックライトユニットと、
（ｂ）バックライトユニットからの実質無偏向照明光のうちその光透過軸に対し（ｉ）平行方向の偏光成分は出射し（ｉｉ）直交方向の偏光成分は反射する第１反射型偏光器と、
（ｃ）第１反射型偏光器から出射された偏向照明光を受光する背部偏光器と、
（ｄ）上記偏向照明光を選択的に且つ画素毎に変調することにより画像を生成する液晶型光空間変調器と、
（ｅ）液晶型光空間変調器と前部偏光器との間に配置され液晶型光空間変調器からの暗状態光の一部をバックライトユニット方向に反射する第２反射型偏光器と、
を備える液晶ディスプレイ。
【請求項１６】
請求項１５記載の液晶ディスプレイであって、第２反射型偏光器が液晶型光空間変調器の表面に結合された液晶ディスプレイ。
【請求項１７】
請求項１５記載の液晶ディスプレイであって、第２反射型偏光器の光透過率が７５％超である液晶ディスプレイ。
【請求項１８】
請求項１５記載の液晶ディスプレイであって、背部偏光器とバックライトユニットとの間に配置されたコリメーティング膜を備える液晶ディスプレイ。
【請求項１９】
請求項１５記載の液晶ディスプレイであって、補償膜を備える液晶ディスプレイ。
【請求項２０】
請求項１５記載の液晶ディスプレイであって、前部偏光器の光透過軸と背部偏光器の光透過軸が±１０°以内の精度で平行である液晶ディスプレイ。
【請求項２１】
請求項１５記載の液晶ディスプレイであって、前部偏光器の光透過軸と背部偏光器の光透過軸が±１０°以内の精度で直交する液晶ディスプレイ。
【請求項２２】
請求項１５記載の液晶ディスプレイであって、前部偏光器の光透過軸と第２反射型偏光器の光透過軸が±１０°以内の精度で平行である液晶ディスプレイ。
【請求項２３】
請求項１５記載の液晶ディスプレイであって、第１反射型偏光器がワイヤグリッド偏光器である液晶ディスプレイ。
【請求項２４】
請求項１５記載の液晶ディスプレイであって、第２反射型偏光器がワイヤグリッド偏光器である液晶ディスプレイ。
【請求項２５】
請求項１５記載の液晶ディスプレイであって、第２反射型偏光器が多層干渉型偏光器を含む液晶ディスプレイ。
【請求項２６】
請求項１５記載の液晶ディスプレイであって、第２反射型偏光器が１／４波長リターダ付の円偏光器を含む液晶ディスプレイ。
【請求項２７】
請求項１５記載の液晶ディスプレイであって、バックライトユニットがその出力を制御可能な少なくとも１個の光源を有する液晶ディスプレイ。
【請求項２８】
請求項２７記載の液晶ディスプレイであって、光源が１個又は複数個の発光ダイオードを含む液晶ディスプレイ。
【請求項２９】
ａ）透過型液晶表示部材にバックライト照明光を供給し、
ｂ）画像データに従いバックライト照明光の偏向状態を画素毎に変調することにより画像ビームを生成し、
ｃ）画像ビーム経路内に反射型偏光器を配置し、
ｄ）画像データに基づき暗画素と明画素の個数割合を調べ、
ｅ）表示されている画像の暗画素と明画素の個数割合に基づきバックライト照明光の輝度レベルを変調する、
表示輝度調整方法。
【請求項３０】
請求項２９記載の表示輝度調整方法であって、バックライト照明光の輝度レベルを変調する際に、光源に供給する駆動電流を変化させてその光源を制御する表示輝度調整方法。
【請求項３１】
請求項２９記載の表示輝度調整方法であって、光源が１個又は複数個の発光ダイオードを含む表示輝度調整方法。
【発明の詳細な説明】
【技術分野】
【０００１】
本発明は、概略、偏光器を用いた液晶ディスプレイに関し、より詳細には、その前部偏光器によって吸収されてしまわないよう、暗状態光を反射型偏光器によりリサイクルさせる液晶ディスプレイに関する。
【背景技術】
【０００２】
従来から、液晶ディスプレイでは、その表面に入射してくる照明光の偏向状態(polarization)を変調することによって画像を生成している。例えばバックライト型液晶ディスプレイでは、一揃いの偏光器を用い液晶による変調動作をサポートするのが普通である。使用する偏光器のうち一つは背部偏光器であり、その液晶ディスプレイの液晶型光空間変調器と、光源との間に配置される。背部偏光器は偏光(polarized light)を液晶型光空間変調器へと出射し、液晶型光空間変調器により変調された偏光は、偏光器のなかで看者の最も近くに配されており従って検光器として機能するいる偏光器、即ち前部偏光器へと出射される。また、液晶ディスプレイは複数個の画素から構成されており、各画素はその動作時に明状態(light state)及び暗状態(dark state)のうち何れかの状態をとる。明状態とは、液晶型光空間変調器により変調された光のうち、その偏向角が前部偏光器の光透過軸の向きと揃っている偏光成分が、液晶ディスプレイから出射される状態である。これに対して、暗状態とは、当該変調光の偏向角が前部偏光器の光透過軸の向きと一致していないため、光が実質的に遮られてしまい放射されない状態である。
【０００３】
図６に、液晶ディスプレイの主要構成部材の概略動作を示す。図示した動作は、各画素への入射光に対する各構成部材の動作である。以下の記述においては、この図に示した記号用法及び図示手法を踏襲して図示及び説明を行うこととする。即ち、以下の説明では、Ｐ偏光を直線で、これと直交するＳ偏光を丸で、光入射方向はそれらに重ねた矢印で、光透過軸方向は双方向矢印又は丸で、それぞれ表すこととする。図中の偏光器５０ａ及び５０ｂは吸収型偏光器、即ちその偏向角が自分の光透過軸の向きと一致する偏光を透過させ、直交する偏光を吸収する偏光器である。これに対し、偏光器５２ａ及び５２ｂは反射型偏光器、即ちその偏向角が自分の光透過軸の向きと一致する偏光を透過させ、直交する偏光を反射する偏光器である。液晶部材５４ａ，５４ｂは、実質的に偏向している照明光ビームの入射を受け、それを画素毎に変調することによって、表示ビームを生成する。液晶部材にはオフ状態とオン状態とがあり、以下の説明では、入射光の偏向状態を回転させる状態をオフ状態（図中の５４ａ）、回転させない状態をオン状態（図中の５４ｂ）と呼んでいる。また、本願においては、「液晶部材」という語を液晶型光空間変調器の構成要素となっている個々の光変調素子という意味で、「液晶型光空間変調器」という語をそれら液晶部材５４ａ，５４ｂのアレイという意味で、それぞれ用いている。
【０００４】
また、液晶型光空間変調器による各画素の変調状態は、暗状態となるか明状態となるか、その何れかである。本願においては、画素状態について述べるときに「暗状態」「明状態」なる語を用いており、実現される画素状態ではなくて液晶部材自体の偏向作用について述べるときは上述の「オン状態」「オフ状態」なる語を用いている。
【０００５】
更に重要なことに、液晶型光空間変調器の性質は種類毎に異なる。即ち、ある液晶部材がオン状態であるとき、その液晶部材により実現される画素が暗状態になるかそれとも明状態になるかは、その液晶型光空間変調器の性質によって変わる。そこで、本願では、上述の通り、
（ｉ）その液晶部材がオン状態（５４ｂ）であるとき画素が暗状態になり、
（ｉｉ）その液晶部材がオフ状態（５４ａ）であるとき画素が明状態になる、
という例を以て説明を行うこととする。但し、実際には、オン状態及びオフ状態と画素の明状態及び暗状態との組合せがこの例とは逆の構成にすることもできる。以下の記述のうち特記のない箇所では、図６に示しまたここで説明した取り決めに従っている。
【０００６】
図１Ａに、従来型液晶ディスプレイの一例構成１０を示す。この図の液晶ディスプレイ１０は、前部偏光器５０ａ、液晶部材、背部偏光器５０ｂ、バックライトユニット５６及び反射膜５７を備えており、液晶部材はオフ状態（５４ａ）となっている。オフ状態液晶部材５４ａは、丸で表されているＳ偏光を直線で表されるＰ偏光に変換し、またその逆にＰ偏光をＳ偏光に変換する。この状態では、バックライトユニット５６から放射される無偏向光のうちＳ偏光成分だけが背部偏光器５０ｂを透過し、透過した偏光はオフ状態液晶部材５４ａ更には前部偏光器５０ａを通り抜けるので、画素は明状態となる。
【０００７】
図１Ｂに、図１Ａに示した液晶ディスプレイ１０の暗状態を示す。この図の液晶部材はオン状態（５４ｂ）であり、入射光の偏向状態を変化させない。即ち、Ｓ偏光ならＳ偏光のまま、Ｐ偏光ならＰ偏光のままとする。背部偏光器５０ｂはＳ偏光を透過させ、オン状態液晶部材５４ｂはそのＳ偏光を透過させる。このＳ偏光は前部偏光器５０ａ上の“Ｘ”部位で吸収されることとなる。
【０００８】
このように、図１Ａ及び図１Ｂに示した従来型液晶ディスプレイ１０は機能的であるが、利用可能光量が少ないという問題がある。これは、背部偏光器５０ｂにてＰ偏光が吸収されるので光エネルギがかなり無駄になり、また環境光があまり性能向上に役立っていないためである。即ち、まず図１Ｃに示すようにその半分が前部偏光器５０ａによって吸収されるので、環境光のうち液晶部材を通り抜けるのは残りの半分である。通り抜けた環境光は偏向状態を回転させるオフ状態液晶部材５４ａを通り抜け、更に背部偏光器５０ｂを通り抜け、その一部が反射膜５７によって反射されて、照明に再利用されることとなる。これに対し、液晶部材がオン状態（５４ｂ）であり従ってその画素が暗状態である場合は、図１Ｄに示すように、前部偏光器５０ａがＰ偏光を透過させ、オン状態液晶部材５４ｂが偏向状態を変化させずにその光を透過させ、次いでＳ偏光でないため背部偏光器５０ｂがその光を吸収する。従って、暗状態では環境光が前部偏光器５０によって半分に減衰し、背部偏光器５０ｂによって残り半分の大半が失われるので、環境光効果がかなり損なわれる。
【０００９】
表示用照明効率を向上させる試みとしては、図２Ａ〜図２Ｄに示すように、随伴する一群の偏光器の一つとして反射型偏光器５２ｂを用いるものがある。この図の例では、バックライトユニット５６からの無偏向光はまず反射型偏光器５２ｂに送られる。反射型偏光器５２ｂは、ある方向の偏光（図示例ではＳ偏光）だけを透過させ、それと直交する方向の偏光を反射する。この反射光は、バックライトユニット５６、反射膜５７その他のデバイス（１／４波長板、偏光解消膜等）の作用を受ける。その作用によってその偏向状態が変わるため、その反射光を照明用に再利用することができる。なお、明状態時動作及び暗状態時動作は図１Ａ〜図１Ｄに示したそれと同じである。即ち、図２Ａにおけるオフ状態液晶部材５４は入射光の偏向状態を回転させ、前部偏光器５０は自分の光透過軸の向きと同じ偏向角を有する光（ここではＰ偏光）を透過させる。また、図２Ｂにおけるオン状態液晶部材５４ｂはＳ偏光を透過させ、前部偏光器５０ａはこれを図中の“Ｘ”にて吸収する。
【００１０】
図２Ｃ及び図２Ｄに、環境光入射に対する反射型偏光器５２ｂの反応を示す。環境光のうち前部偏光器５０ａを通り抜けるのはＰ偏光成分であり、この偏光はオフ状態又はオン状態の液晶部材５４ａ，５４ｂを通り抜ける。通り抜けた光のうちのＳ偏光成分は背部偏光器５０ｂ及び反射型偏光器５２ｂを通り抜ける。反射型偏光器５２ｂから反射されてくるＰ偏向環境光があればそれは背部偏光器５０ｂによって吸収される。従って、環境光は、暗状態では前部偏光器５０ａにてその半分に減衰し更に背部偏光器５０ｂによって残りの大半が失われる。そのため、環境光効果はかなり損なわれる。
【００１１】
以上、図２Ａ〜図２Ｄに基づき反射型偏光器を利用した従来型液晶ディスプレイの概要を説明したが、これと同様の装置について説明する特許文献は数多くある。その例としては、
「偏光素子、光学素子及び液晶ディスプレイ」（Polarizing Element, Optical Element, and Liquid Crystal Display）と題する特許文献１（発明者：Ｈａｒａ）、
「反射型偏光器ディスプレイ」（Reflective Polarizer Display）と題する特許文献２（発明者：Ｏｕｄｅｒｋｉｒｋ  ｅｔ  ａｌ．）、
「輝度改善型反射型偏光器」（Brightness Enhancing Reflective Polarizer）と題する特許文献４（発明者：Ｗｅｂｅｒ  ｅｔ  ａｌ．）、
「液晶表示装置及び電子装置」（Liquid Crystal Display Device and Electronic Apparatus）と題する特許文献５（発明者：Ｍａｅｄａ）、
等がある。
【００１２】
加えて、非特許文献１には、反射型液晶セル内で用いられ同時に偏光器、整列層及び背面電極としても機能するワイヤグリッド偏光器が記載されている。
【００１３】
更に、液晶ディスプレイ内で複数種類の偏光器を用い、ディスプレイ用途に応じた特殊効果を得る手法も、幾つか知られている。例えば、「位置変更可能な前部偏光器を有する液晶ディスプレイ」（Liquid Crystal Displays with Repositionable Front Polarizers）と題する特許文献３（発明者：Ｋｏｔｃｈｉｃｋ  ｅｔ  ａｌ．）には、見やすい表示になるよう、その前部偏光器を様々なタイプの偏光器から選ぶことができ、またその前部偏光器の角度や位置を変えることができる携帯型装置用液晶ディスプレイモジュールが、記載されている。同様に、「液晶ディスプレイを有する電子装置用の可換偏光器」（Interchangeable Polarizers for Electronic Devices Having a Liquid Crystal Display）と題する特許文献６（発明者：Ｓａｈｏｕａｎｉ  ｅｔ  ａｌ．）には、様々な種類の前部偏光器を取り付けたり取り外したりすることができ、それによって狙った表示効果を得る装置構成が、記載されている。これらの文献にも示されているように、従来の常識からすれば、照明用光源たるバックライトユニット５６と、背部偏光器５０ｂとの間に反射型偏光器５２ｂを配し、それによって輝度及び効率を改善させる図２Ａ〜図２Ｄの構成が望ましい。特許文献３及び６に記載されている種々の実施形態のなかには、液晶ディスプレイ用前部偏光器として反射型偏光器を用いた構成が含まれているが、従来の常識からすれば、液晶部材５４ａ，５４ｂから見て看者側で反射型偏光器を用いることは明らかに望ましくない。これは、前部偏光器として反射型偏光器を用いるとコントラスト比が格段に損なわれ、それによって輝度向上効果が全く打ち消されるからである。前部偏光器として反射型偏光器を用いることが望ましいといえるのは、高々、メタリックな表示外観を得たい場合だけであろう。実際、重要なことに、特許文献３及び６の何れにおいても、特殊な表示効果であるメタリック表示を意図的に発生させたい場合を除けばかかる構成は望ましくないものであることが多い旨、（輝度や効率の向上とは関わりなく）強調されている。
【００１４】
【特許文献１】米国特許第６６６１４８２号明細書
【特許文献２】米国特許第５８２８４８８号明細書
【特許文献３】米国特許第６６４２９７７号明細書
【特許文献４】米国特許出願公開第２００３／０１６４９１４号明細書
【特許文献５】米国特許出願公開第２００４／００６１８１２号明細書
【特許文献６】米国特許出願公開第２００３／００１６３１６号明細書
【非特許文献１】"Twisted Nematic Reflective Display with Internal Wire Grid Polarizer", by T. Sergan et al., SID 02 Digest, pp.514-517 (P-81)
【発明の開示】
【発明が解決しようとする課題】
【００１５】
図２Ａ〜図２Ｄに示した従来の用法、即ち上掲の特許文献に記載の通り反射型偏光器を照明用光源と背部偏光器に配するという用法は、液晶ディスプレイの輝度及び効率を向上させるのには役立つが、液晶ディスプレイの用途範囲を更に拡張するにはそれでは足りない。用途範囲拡張には、表示輝度を更に向上させること、しかもそれを従来構成に対するコスト増や構成複雑化を伴うことなく達成することが、必要である。
【課題を解決するための手段】
【００１６】
本発明に係る液晶ディスプレイは、液晶ディスプレイの輝度及び効率を向上させるため、
（ａ）実質無偏向照明光を供給するバックライトユニットと、
（ｂ）バックライトユニット近傍に配置され入射してくる実質無偏向照明光を受光し実質偏向照明光を出射する背部偏光器と、
（ｃ）実質偏向照明光の偏向状態を選択的に且つ画素毎に変調することにより表示ビームを生成する液晶型光空間変調器と、
（ｄ）液晶型光空間変調器と前部偏光器との間に配置され暗状態光の一部をバックライトユニット方向に反射する反射型偏光器と、
を備える。
【００１７】
本発明の特徴の一つは、暗状態光を反射させて再使用することができるよう、画像表示ビーム経路内に反射型偏光器を配したことにある。
【発明の効果】
【００１８】
本発明の効果の一つは、従来の構成と比べ液晶表示輝度及び効率が格段によくなることにある。
【発明を実施するための最良の形態】
【００１９】
本発明の構成要件は、本願に添付されている特許請求の範囲による明確で且つ疑義なき記載の通りであるが、より好適に理解できるようにすべく以下別紙図面を参照しながら説明する。
【００２０】
以下の説明は、とりわけ、本発明に係る装置の構成部分や本発明に係る装置と密接に関連する部分についての説明である。説明中で仔細に図示乃至説明しなかった要素については、本源技術分野における習熟者（いわゆる当業者）にとり周知である様々な形態を採りうることを、ご了解頂きたい。
【００２１】
本発明に係る装置及び方法は、１個又は複数個の反射型偏光器を用いて暗状態光をリサイクルさせることにより、液晶ディスプレイにて得られる輝度及び効率を向上させるものである。
【００２２】
第１実施形態
図３Ａ及び図３Ｂに、本発明の一実施形態に係る液晶ディスプレイ２０の明状態及び暗状態（同順）を示す。この実施形態においては、反射型偏光器５２ａが液晶部材５４ａ，５４ｂと前部偏光器５０ａとの間に配置されている。背部偏光器５０ｂの光透過軸と前部偏光器５０の光透過軸は、±１０°以内の精度で直交している。また、図１Ａ〜図１Ｄ及び図２Ａ〜図２Ｄに示した説明上の取り決めに従い、Ｐ偏光をＳ偏光にまたＳ偏光をＰ偏光にそれぞれ変換する液晶部材を以て、オフ状態液晶部材５４ａとしている。更に、反射型偏光器５２ａの光透過軸は前部偏光器５０ａの光透過軸と平行である。そして、反射型偏光器５２ａによりリサイクルに回される光は、前部偏光器５０ａの光透過軸と直交する方向の偏光である。
【００２３】
光に対する液晶ディスプレイ２０の作用は、明状態の場合図３Ａに示す通りとなる。即ち、バックライトユニット５６から背部偏光器５０ｂに無偏向光が入射されると、背部偏光器５０ｂはＳ偏光成分を透過させる一方でＰ偏光成分を吸収する。オフ状態液晶部材５４ａはその光の偏向状態を回転させ、Ｐ偏光を出射する。この光は次いで反射型偏光器５２ａ更には前部偏光器５０ａを透過する。従って、明状態においては、反射型偏光器５２ａは単に所期通りの光を透過させるだけである。
【００２４】
これに対し、暗状態の場合は、光に対する液晶ディスプレイ２０の作用は図３Ｂに示す通りとなる。即ち、オン状態液晶部材５４ｂは入射光の偏向状態を回転させないで透過させ、図３Ａ及び図３Ｂにおける新規な構成である反射型偏光器５２ａは、このＳ偏光を全て、バックライトユニット５６方向に反射する。先に説明した図１Ｂ及び図２Ｂの構成では、暗状態でオン状態液晶部材５４ｂから出射されるＳ偏光が前部偏光器５０ａによって吸収されていたことを、想起されたい。この反射型偏光器５２ａの動作には、リサイクル効果、即ちある画素の暗状態光を明状態にある他の画素で再利用可能にする、という効果がある。例えば図７Ｂに示すように、液晶ディスプレイ２０のうちオフ状態液晶部材５４ａとオン状態液晶部材５４ｂとが隣り合っている箇所では、両者の動作が好適に噛み合う。
【００２５】
図３Ｃ及び図３Ｄに、環境光に対する液晶ディスプレイ２０の反応を示す。先に図１Ｃ、図１Ｄ、図２Ｃ及び図２Ｄを参照して説明したように、前部偏光器５０ａはＳ偏光を吸収する一方Ｐ偏光を透過させる。反射型偏光器５２ａもこれと同じくＰ偏光を透過させるので、環境光に対する反応は図１Ｃ、図１Ｄ、図２Ｃ及び図２Ｄに示したものと基本的に違いがない。このことから理解できるように、液晶部材５４ａ，５４ｂと前部偏光器５０ａの間に反射型偏光器５２ａを配して暗状態光の一部をリサイクルさせるに当たり、環境光によりコントラストが更に劣化するようなこともない。
【００２６】
また、図３Ａ〜図３Ｄに示した構成においては、反射型偏光器５２ａの光透過軸が前部偏光器５０ａの光透過軸と平行である。これに対して、図３Ｅ及び図３Ｆに示すように反射型偏光器５２ａの光透過軸を前部偏光器５０ａの光透過軸と直交させた場合、図中の光経路や偏向状態から理解できるように、最適とはいい難い構成となる。即ち、明状態においては反射型偏光器５２ａがＰ偏光を反射するので光が放射されず、暗状態においては前部偏光器５０ａがＳ偏光を吸収するので反射光が再利用されることもない。こうしたことから理解できるように、反射型偏光器５２ａの光透過軸の向きは、前部偏光器５０ａの光透過軸の向きに対して、±１０°以内の精度で一致していなければならない。
【００２７】
第２実施形態
図３Ｇ及び図３Ｈに、本発明の別の実施形態を示す。この実施形態においては、前部偏光器５０ａの光透過軸と背部偏光器５０ｂの光透過軸とが±１０°以内の精度で平行である。この構成を好適に動作させるには、先に図１Ａ〜図３Ｆに示した例に対し、液晶部材５４ｃ，５４ｄのオン状態，オフ状態動作を逆にする必要がある。即ち、この構成では、オフ状態の液晶部材５４ｃが入射光の偏向状態を変化させず、オン状態液晶部材５４ｄが変化させる。また、この実施形態においては、図３Ｈに示すように暗状態光をリサイクルさせるには、反射型偏光器５２ａの光透過軸を前部偏光器５０ａの光透過軸及び背部偏光器５０ｂの光透過軸双方と、一致させねばならない。図３Ａ〜図３Ｄに示した第１実施形態と同様、図３Ｇ及び図３Ｈの実施形態においても、環境光が原因でコントラストが更に劣化するようなことはない。
【００２８】
第３実施形態
図４Ａ〜図４Ｄに、本発明の別の実施形態に係る液晶ディスプレイ３０を示す。この実施形態においては、輝度及び効率を向上させるため、一対の反射型偏光器５２ａ及び５２ｂが用いられている。光に対する明状態時作用及び暗状態時作用は、ちょうど、図２Ａ〜図２Ｄに示した従来の反射型偏光器利用例のそれと、図３Ａ〜図３Ｄに示した本発明の実施形態のそれとを、組み合わせたものとなる。即ち、バックライトユニット５６からの無偏向光はまず背部反射型偏光器５２ａに入射される。背部反射型偏光器５２ａは、そのうち一種類の偏光成分（図４Ａ〜図４ＤではＳ偏光成分）を透過させる一方、それと直交する方向の偏光成分をバックライトユニット５６方向に反射させ、それによってその偏光をリサイクルさせる。背部偏光器５０ｂはＳ偏向成分を透過させ、残留しているＰ偏光成分があればそれを吸収する。オフ状態液晶部材５４ａは光の偏向状態を回転させてＰ偏光を出射する。この光は反射型偏光器５２ａ更には前部偏光器５０ａを透過する。
【００２９】
暗状態にある液晶ディスプレイ３０の光に対する作用は、図４Ｂに示す通りである。即ち、暗状態におけるオン状態の液晶部材５４ｂは光の偏向状態を回転させないので、図１Ｂ及び図２Ｂに示した従来の構成であればＳ偏光が前部偏光器５０ａに吸収されていたところ、図４Ａ及び図４Ｂに示した構成においては、好ましいことに、反射型偏光器５２ａによってＳ偏光がバックライトユニット５６方向に反射される。この作用によってリサイクル効果が生じ、当該反射光を明状態画素にて再利用することが可能になる。
【００３０】
環境光に対する液晶ディスプレイ３０の反応は、明状態では図４Ｃに、暗状態では図４Ｄに、それぞれ示す反応となる。即ち、環境光中のＰ偏光成分は背部偏光器５０ｂによって吸収されるが、明状態ではＳ偏光成分がリサイクル、再使用される。従って、図４Ａ〜図４Ｄに示した実施形態によれば、環境光の影響でコントラストが損なわれることなしに、輝度及び効率を向上させることができる。
【００３１】
また、先に背景技術の欄で注記したように、前部偏光器５０ａの代わりに反射型偏光器を用いることは、輝度やコントラストの点で不利なことであるといわざるを得ない。図５Ａ〜図５Ｄに、反射型偏光器５２ａが前部に配置された別の実施形態に係る液晶ディスプレイ４０の構成と、その構成にて環境光がコントラストにどのような悪影響を与えるかを示す。図５Ａ及び図５Ｂに示すように、この実施形態においては前部偏光器５０ａが用いられておらず、従って反射型偏光器５２ａが看者から見て一番手前に位置している。第２の反射型偏光器即ち背部反射型偏光器５２ｂも示されているが、これを用いるのは必須ではない。明状態及び暗状態における動作は先に図３Ａ、図３Ｂ、図４Ａ及び図４Ｂを参照して説明した実施形態のそれと同様であるので、暗状態光のリサイクル効果は幾分あり、とりわけ背部反射型偏光器５２ｂを用いた場合はその効果が強くなる。
【００３２】
環境光に対しする液晶ディスプレイ４０の反応は図５Ｃ及び図５Ｄに示す通りである。即ち、明状態でも暗状態でも反射型偏光器５２によってある偏光成分が反射され、暗状態にしたい画素にその偏光成分が漏洩光として入射してしまうため、表示コントラストが劇的に劣化する。従って、前部偏光器５０ａなしで反射型偏光器５２ａを用いることは、メタリックな外観を提示できるというある種の美的アピールの実現に役立つものの、コントラスト劣化が生じるのでこの構成は最適なものではない。
【００３３】
以上述べた実施形態に対しては、更に別の部材を付加して輝度やコントラストを向上させることができる。例えば、アメリカ合衆国ミネソタ州セントポール所在のスリーエム社によって製造されている輝度改善膜Ｖｉｋｕｉｔｉ（登録商標）等、既知のコリメーティング膜を付加して照明光を平行化することができる。これを狙い図３Ａ〜図４Ｄに示した構成に付加する場合、そのコリメーティング膜乃至輝度改善膜はバックライトユニット５６と液晶部材５４ａ，５４ｂの間に配するのがよいであろう。なお、好適に使用できる既知のコリメーティング膜は他にもある。
【００３４】
暗状態光リサイクル
図７Ａに、画素のうち複数個が暗画素１４、他の複数個が明画素１２となっている液晶ディスプレイ２０の一部分について、その平面構造を示す。この図に示されているように、液晶ディスプレイ２０上においては、ある個数割合を占める暗画素１４とその残りを占める明画素１２とを組み合わせることによって、個々の画像が形成される。本発明に係る装置及び方法においては、暗画素１４で必要とされない光をうまく利用し、その光の一部を明画素１２にリダイレクト（方向転換）させている。図７Ｂに、この動作のあらましを示す。この図には、オン状態液晶部材５４ｂによって形成された暗画素１４からの光がオフ状態液晶部材５４ａによって形成された明画素１２へとどのようにリダイレクトされるかが、示されている。
【００３５】
暗状態光リサイクルが実際にどのようにして行われるかを説明するため、ここで、幾つかの変数を次の通り
Ｉ0：バックライトユニット５６の放射光束量
ｘ：全画素に占める暗画素１４の個数割合
１−ｘ：全画素に占める明画素１２の個数割合
Ｔ||：吸収型偏光器（前部偏光器５０ａ及び背部偏光器５０ｂ）がその光透過軸沿いに偏光している光に対して呈する光透過率
Ｔlc：液晶層の光透過率（一次近似としてはオン状態でのＴlcとオフ状態でのＴlcは等しいと見なせる）
Ｔf：前部吸収型偏光器５０ａと液晶部材５４ａ，５４ｂとの間に配置される前部反射型偏光器５２ａの光透過率
Ｒf：前部吸収型偏光器５０ａと液晶部材５４ａ，５４ｂとの間に配置される前部反射型偏光器５２ａの光反射率
Ｔｒ：背部吸収型偏光器５０ｂと液晶部材５４ａ，５４ｂとの間に配置される背部反射型偏光器５２ｂの光透過率
Ｒｒ：背部吸収型偏光器５０ｂと液晶部材５４ａ，５４ｂとの間に配置される背部反射型偏光器５２ｂの光反射率
Ｒ：バックライトユニット５６の光反射率
と定義する。
【００３６】
例１：従来型の反射型偏光器配置を伴わない暗状態光リサイクル
本発明の第１実施形態における暗状態光リサイクルの効果は、図３Ａ及び図３Ｂに示した光学的動作を図１Ａ及び図１Ｂに示した従来の構成の光学的動作と比較することによって、明らかにすることができる。
【００３７】
まず、暗状態光リサイクルが生じない図１Ａの構成においては、全画素中１−ｘを占める明画素１２からの放射光束量は、次の式
【数１】
2008512731.tif 000003
によって与えられる（“〜”は“ほぼ等しい”の意；以下同様）。
【００３８】
これに対し、暗状態光リサイクルが生じる構成、即ち反射型偏光器５２ａが前部吸収型偏光器５０ａと液晶部材５４ａ，５４ｂの間に配置されている構成においては、全画素中１−ｘを占める明画素１２からの放射光束量は、ほぼ０．５Ｉ0Ｔ||2ＴlcＴf（１−ｘ）であり、全画素中ｘを占める暗画素１４によって後方に反射され更にバックライトユニット５６によって反射される光束の量は、ほぼ０．５Ｉ0Ｔ||2Ｔlc2ＲfＲｘとなる。また、バックライトユニット５６によって反射された光束のうちあるものは全画素中１−ｘを占める明画素１２にリダイレクトされ、他のものは全画素中ｘを占める暗画素１４にリダイレクトされる。そのどちらになるかは確率的に決まる。
【００３９】
以上のことから、リサイクル１巡目までを考慮して算出した明画素１２の放射光束量は
【数２】
2008512731.tif 000004
となり、同じくリサイクル２巡目までを考慮して算出した明画素１２の放射光束量は
【数３】
2008512731.tif 000005
となるので、従って、明画素１２の放射光束総量は
【数４】
2008512731.tif 000006
となる。利得は
【数５】
2008512731.tif 000007
と定義でき、Ｔ||、Ｔlc、Ｔf、Ｒf及びＲが理想値即ち１であるとすると利得は
【数６】
2008512731.tif 000008
に等しくなる。この式は、ｘが１００％に十分近ければ利得が最大利得（１００％）、ｘ＝５０％ならば３３％、ｘ＝０％ならば０％となることを表している。暗状態光を経路沿いにリサイクルするとその光の半ばが背部偏光器５０ｂによって吸収されるため、最大利得は１００％に制限される。また、Ｔ||、Ｔlc、Ｔf、Ｒf及びＲの現実的な値は、例えばＴ||〜０．９５、Ｔlc〜０．９５、Ｔf〜０．９、Ｒf〜０．９５、Ｒ〜０．９といった値であり、これらの値を用いた場合、利得を表す式
【数７】
2008512731.tif 000009
中の
【数８】
2008512731.tif 000010
はほぼ０．７となる。
【００４０】
図８Ａ、図８Ｂ及び図８Ｃに、反射型偏光器５２ａの光透過率Ｔfが１００％、９５％及び８０％（同順）の各場合について、暗画素１４の個数割合ｘに対する利得の特性を示す。これらの図から解るように、どの場合でも、暗画素個数割合ｘが同じなら係数ｆが大きい程利得が高く、また係数ｆが一定なら暗画素個数割合ｘが高い程利得が高くなる。
【００４１】
まず、図８Ａに示すように、反射型偏光器５２ａの光透過率Ｔfが１００％なら係数ｆ及び暗画素個数割合ｘによらず利得は常に正になる。係数ｆが理想値＝１であり暗画素個数割合ｘが十分に１００％に近ければ、利得は１００％になる。
【００４２】
また、図８Ｂに示すように、反射型偏光器５２ａの光透過率Ｔfが１００％に達しておらず例えば約９５％である場合、暗画素個数割合ｘが小さい領域では利得は負になる。これは、暗画素１４が少ない（明画素１２が多い）画像では光効率が損なわれ、実際に損失が発生する可能性があることを表している。それでも、暗画素１４が多い（明画素１２が少ない）画像、即ち暗画素個数割合ｘが大きな画像であれば、利得は正になる。
【００４３】
そして、図８Ｃに示すように、反射型偏光器５２ａの光透過率Ｔfがかなり低く例えば８０％程度である場合、係数ｆが小さく例えば０．２程度であると、暗画素個数割合ｘが０〜１の範囲内のどの値を採っても利得が負になってしまう。但し、合理的に設計された液晶ディスプレイシステムならば通常はｆ≧０．７となる。ｆ＝０．７に係る曲線によれば、暗画素個数割合ｘが０．６以上なら利得は正になる。
【００４４】
以上のことから理解できるように、暗状態光リサイクル利得の値はそのディスプレイに表示する画像によって変わる。この利得について更に数値的に調べるため、様々な値のｆ及びＴfの組合せについて、ｘ＝０からｘ＝１の範囲に亘り同一荷重で平均値を求めてみた。図９に、得られた平均利得を表形式で示す。この図から読み取れるように、利得が正になるのは上側三角形内であるので、損失が生じないようにするには係数ｆ及びＴfの値を当該上側三角形内の値にする必要がある。例えば、Ｔf＝０．７５ならｆ≧０．９の領域で、またＴf＝０．９ならｆ≧０．４の領域で、平均利得が正になっており、Ｔf＝０．９、ｆ＝０．７なら約１１％になっている。用いる条件が違えば平均利得が正になる係数ｆ及びＴfの範囲も異なるであろうし、また光効率上の利得も生の暗画素個数割合だけでなく画像パターン分布によって変わりうるのであるが、大雑把には、注目波長における光透過率が７５％超の反射型偏光器を用いるのが望ましいといえよう。
【００４５】
例２：従来型の反射型偏光器配置と組み合わせた暗状態光リサイクル
本発明の別の実施形態における暗状態光リサイクルの効果は、図４Ａ及び図４Ｂに示した光学的動作を図２Ａ及び図２Ｂに示した従来の構成における光学的動作と比較することによって、明らかにすることができる。
【００４６】
まず、反射型偏光器５２ｂによって従来型の偏光リサイクルは行われるが暗状態光リサイクルは生じない図２Ａ及び図２Ｂの構成においては、全画素中１−ｘを占める明画素１２からの放射光束量は、次の式の通り
【数９】
2008512731.tif 000011
となる。
【００４７】
これに対し、暗状態光リサイクルが生じる構成、即ち図４Ａ及び図４Ｂに示すように反射型偏光器５２ａが前部吸収型偏光器５０ａと液晶部材５４ａ，５４ｂの間に配置されている構成においては、全画素中１−ｘを占める明画素１２からの放射光束量は
【数１０】
2008512731.tif 000012
となる。従って、従来型の偏光リサイクルを行う図２Ａ及び図２Ｂの構成との対比における利得は
【数１１】
2008512731.tif 000013
となり、Ｔ||、Ｔlc、Ｔf、Ｒf及びＲが理想値即ち１であるとすると利得は
【数１２】
2008512731.tif 000014
に等しくなる。この式は、ｘが１００％に十分近ければ利得は正の無限大、ｘ＝５０％ならば５０％、ｘ＝０％ならば０％となることを表している。また、Ｔ||、Ｔlc、Ｔf、Ｒf及びＲの現実的な値は、例えばＴ||〜０．９５、Ｔlc〜０．９５、Ｔf〜０．９、Ｒf〜０．９５、Ｒ〜０．９といった値であり、これらの値を用いた場合、利得を表す式
【数１３】
2008512731.tif 000015
中の
【数１４】
2008512731.tif 000016
はほぼ０．７となる。その場合、ｘが１００％に十分近ければＧａｉｎDSRPは２００％に達し、ｘが５０％であればＧａｉｎDSRPは３８％となる。
【００４８】
液晶ディスプレイシステム
本発明によれば、暗状態光がリサイクルされるため、暗状態光リサイクルが生じない従来の構成に比べ液晶ディスプレイの明状態画素からより多くの光量を得ることができる。それによる輝度増分は前述の通りある程度まで暗画素個数割合ｘの影響を受けるが、ある特定の画素データ値を与えたとき暗画素個数割合ｘによらず常に一定の画素輝度レベルが得られるようにしたい場合もある。そこで、本願では、バックライトユニット５６を構成する光源の輝度を暗画素個数割合ｘに基づき動的に調整することにより、ある特定の画素データ値に対し常に一定の画素輝度レベルが得られるようにする装置及び方法を提供する。図１０に、輝度制御のために追加した部材をブロック図により示す。図中の制御用論理プロセッサ６０は、受け取った画像データに基づき暗画素個数割合ｘを計算し、その結果に基づき変調した信号を駆動回路６２に供給する。駆動回路６２はこれに応じ可変値の信号をバックライトユニット５６に供給し、バックライトユニット５６を構成する光源の発光出力はこの駆動信号によって制御される。なお、バックライトユニット５６は、駆動信号の変化に対し十分高速で応答しその発光強度を変えうるものである限り、どのような種類の光源でも構成することができる。使用できる光源の例としては、発光ダイオード（ＬＥＤ）やそのアレイがある。
【００４９】
制御用論理プロセッサによる輝度調整は、図１１にブロック図により例示する通り、簡潔な論理によるものである。即ち、データ取得ステップ１００にて各画像の画像データにアクセスし、次いで暗画素個数割合計算ステップ１１０を実行して画像データからその暗画素個数割合を計算し、その結果に基づき輝度レベル計算ステップ１２０を実行して数式やルックアップテーブル等に従い輝度レベル更新値を計算し、計算したこの駆動目標値に基づき駆動信号調整ステップ１３０を実行しアナログ又はディジタル信号によってその駆動目標値を駆動回路６２に指令する、という制御論理である。なお、この図の制御論理は、個別画像用制御に使用することができるのみならず、一連の画像の枚数に応じて繰り返されるループ制御にも使用することができる。
【００５０】
反射型偏光器の種類
本発明の装置及び方法にて使用できる反射型偏光器の種類は数多くあり、例えばワイヤグリッド偏光器、円偏光器、多層干渉型偏光器等を使用できる。ワイヤグリッド偏光器は例えばアメリカ合衆国ユタ州オーレム所在のＭｏｘｔｅｋ，Ｉｎｃから入手でき、円偏光器の例としてはコレステリック液晶から形成された１／４波長リターダ付部品があり、多層干渉型偏光器の例としてはアメリカ合衆国ミネソタ州セントポール所在のスリーエム社が製造しているデュアル輝度改善膜Ｖｉｋｕｉｔｉ（登録商標）がある。ワイヤグリッド偏光器とは、ガラス基板上に細い配線を形成し、その配線を電極、整列層及び反射型偏光器として機能させるものである。配線の向きは、液晶層に面する向きであってもよいし、前部偏光器に面する向きであってもよい。また、上に列記したもの以外にも、本発明で使用できる既知タイプの反射型偏光器がある。更に、反射型偏光器を液晶型光空間変調器の表面に結合させて使用すること、即ち同一の基板を共有するように反射型偏光器及び液晶型光空間変調器を構成することも可能である。反射型偏光器はその基板内に配することも基板外に配することもできる。
【００５１】
最善の特性を得るには、反射型偏光器におけるリターダンスを極力小さくし、明状態画素にも暗状態画素にも悪影響が生じないようにする必要があるが、それでもリターダンスが生じる場合は、反射型偏光器の光透過軸に対しできる限り正確に平行になるよう又は直交するよう基板の光軸を配置するとよい。また、本件技術分野にて知られているように、補償膜を組み込むことによって反射型偏光器のビュー角、コントラスト、色純度等を改善することも可能である。
【００５２】
以上、本発明についてその好適な実施形態を参照しつつ詳細に説明した。ご理解頂けるように、いわゆる当業者であれば、別紙特許請求の範囲により定義される本発明の技術的範囲内で、即ち前述の通り本発明の技術的範囲から逸脱することなく、様々な変形や改変を施すことができる。例えば、図３Ｇ及び図３Ｈに示したように液晶型光空間変調器の明状態時動作と暗状態時動作を反転させることもできる。また、前部偏光器５０ａと背部偏光器５０ｂの間に反射型偏光器５２ａを設けると、前部偏光器５０ａや背部偏光器５０ｂの構成を幾らか変える必要が生じるが、これは光学分野に習熟した者であれば容易に理解できることである。更に、反射型偏光器５２ａを液晶部材５４ａ，５４ｂの表面上に組み込むことによって、当該光空間変調器自体が反射型偏光部材機能を備えるようにすることもできる。
【００５３】
このように、本願に記載した液晶ディスプレイは、反射型偏光器を用いて暗状態光をリサイクルさせ、それによって効率及び輝度を高めたものである。
【図面の簡単な説明】
【００５４】
【図１Ａ】液晶部材並びに前部及び背部偏光器を備える明状態の液晶ディスプレイを示す模式的側断面図である。
【図１Ｂ】液晶部材並びに前部及び背部偏光器を備える暗状態の液晶ディスプレイを示す模式的側断面図である。
【図１Ｃ】液晶部材並びに前部及び背部偏光器を備え環境光が入射している明状態の液晶ディスプレイを示す模式的側断面図である。
【図１Ｄ】液晶部材並びに前部及び背部偏光器を備え環境光が入射している暗状態の液晶ディスプレイを示す模式的側断面図である。
【図２Ａ】液晶部材並びに前部、背部及び反射型偏光器を備え、反射型偏光器が従来式に配置された明状態の液晶ディスプレイを示す模式的側断面図である。
【図２Ｂ】液晶部材並びに前部、背部及び反射型偏光器を備え、反射型偏光器が従来式に配置された暗状態の液晶ディスプレイを示す模式的側断面図である。
【図２Ｃ】液晶部材並びに前部、背部及び反射型偏光器を備え、反射型偏光器が従来式に配置されており、環境光が入射している明状態の液晶ディスプレイを示す模式的側断面図である。
【図２Ｄ】液晶部材並びに前部、背部及び反射型偏光器を備え、反射型偏光器が従来式に配置されており、環境光が入射している暗状態の液晶ディスプレイを示す模式的側断面図である。
【図３Ａ】本発明の第１実施形態に係り、液晶部材並びに前部、背部及び反射型偏光器を備え、反射型偏光器が前部偏光器と液晶部材の間に配置された明状態の液晶ディスプレイを示す模式的側断面図である。
【図３Ｂ】本発明の第１実施形態に係り、液晶部材並びに前部、背部及び反射型偏光器を備え、反射型偏光器が前部偏光器と液晶部材の間に配置された暗状態の液晶ディスプレイを示す模式的側断面図である。
【図３Ｃ】本発明の第１実施形態に係り、液晶部材並びに前部、背部及び反射型偏光器を備え、反射型偏光器が前部偏光器と液晶部材の間に配置されており、環境光が入射している明状態の液晶ディスプレイを示す模式的側断面図である。
【図３Ｄ】本発明の第１実施形態に係り、液晶部材並びに前部、背部及び反射型偏光器を備え、反射型偏光器が前部偏光器と液晶部材の間に配置されており、環境光が入射している暗状態の液晶ディスプレイを示す模式的側断面図である。
【図３Ｅ】比較例に係り、液晶部材並びに前部、背部及び反射型偏光器を備え、反射型偏光器が前部偏光器と液晶部材の間に配置された明状態の液晶ディスプレイを示す模式的側断面図である。
【図３Ｆ】比較例に係り、液晶部材並びに前部、背部及び反射型偏光器を備え、反射型偏光器が前部偏光器と液晶部材の間に配置された暗状態の液晶ディスプレイを示す模式的側断面図である。
【図３Ｇ】本発明の別の実施形態に係り、液晶部材並びに前部、背部及び反射型偏光器を備え、反射型偏光器が前部偏光器と液晶部材の間に配置された明状態の液晶ディスプレイを示す模式的側断面図である。
【図３Ｈ】本発明の別の実施形態に係り、液晶部材並びに前部、背部及び反射型偏光器を備え、反射型偏光器が前部偏光器と液晶部材の間に配置された暗状態の液晶ディスプレイを示す模式的側断面図である。
【図４Ａ】本発明の別の実施形態に係り、更に背部偏光器とバックライトユニットの間に配置された第２反射型偏光器を備える明状態の液晶ディスプレイを示す模式的側断面図である。
【図４Ｂ】本発明の別の実施形態に係り、更に背部偏光器とバックライトユニットの間に配置された第２反射型偏光器を備える暗状態の液晶ディスプレイを示す模式的側断面図である。
【図４Ｃ】本発明の別の実施形態に係り、更に背部偏光器とバックライトユニットの間に配置された第２反射型偏光器及び液晶部材を備え、環境光が入射されている明状態の液晶ディスプレイを示す模式的側断面図である。
【図４Ｄ】本発明の別の実施形態に係り、更に背部偏光器とバックライトユニットの間に配置された第２反射型偏光器及び液晶部材を備え、環境光が入射されている暗状態の液晶ディスプレイを示す模式的側断面図である。
【図５Ａ】比較例に係り、バックライト用及び環境光用反射型偏光器を備えているが前部偏光器を備えていない明状態の液晶ディスプレイを示す模式的側断面図である。
【図５Ｂ】比較例に係り、バックライト用及び環境光用反射型偏光器を備えているが前部偏光器を備えていない暗状態の液晶ディスプレイを示す模式的側断面図である。
【図５Ｃ】比較例に係り、バックライト用及び環境光用反射型偏光器を備えているが前部偏光器を備えておらず、環境光が入射している明状態の液晶ディスプレイを示す模式的側断面図である。
【図５Ｄ】比較例に係り、バックライト用及び環境光用反射型偏光器を備えているが前部偏光器を備えておらず、環境光が入射している暗状態の液晶ディスプレイを示す模式的側断面図である。
【図６】本発明の各構成要素の分類、記号及び動作を示す側断面図である。
【図７Ａ】典型的な画像における画素パターンを示す頂面図である。
【図７Ｂ】隣り合っている２個の液晶部材のうち一方がオフ、他方がオンである状態を示す模式的側断面図である。
【図８Ａ】暗画素及び明画素の全個数割合範囲について相対効率利得を示したグラフである。
【図８Ｂ】暗画素及び明画素の全個数割合範囲について相対効率利得を示したグラフである。
【図８Ｃ】暗画素及び明画素の全個数割合範囲について相対効率利得を示したグラフである。
【図９】本発明に係る方法を用いた場合について、光透過率に対する利得計算値の関係を表形式で示す図である。
【図１０】本発明の一実施形態における輝度制御部材を模式的に示すブロック図である。
【図１１】バックライトユニットの輝度を全体としての画像輝度に適合させるのに使用される論理を示すフローチャートである。
【符号の説明】
【００５５】
１０，２０，３０，４０  液晶ディスプレイ、１２  明画素、１４  暗画素、５０ａ  前部吸収型偏光器、５０ｂ  背部吸収型偏光器、５２ａ，５２ｂ  反射型偏光器、５４ａ，５４ｃ  オフ状態液晶部材、５４ｂ，５４ｄ  オン状態液晶部材、５６  バックライトユニット、５７  反射膜、６０  制御用論理プロセッサ、６２  駆動回路、１００  データ取得ステップ、１１０  暗画素個数割合計算ステップ、１２０  輝度レベル計算ステップ、１３０  駆動信号調整ステップ。
【図１Ａ】
2008512731.tif 000017
【図１Ｂ】
2008512731.tif 000018
【図１Ｃ】
2008512731.tif 000019
【図１Ｄ】
2008512731.tif 000020
【図２Ａ】
2008512731.tif 000021
【図２Ｂ】
2008512731.tif 000022
【図２Ｃ】
2008512731.tif 000023
【図２Ｄ】
2008512731.tif 000024
【図３Ａ】
2008512731.tif 000025
【図３Ｂ】
2008512731.tif 000026
【図３Ｃ】
2008512731.tif 000027
【図３Ｄ】
2008512731.tif 000028
【図３Ｅ】
2008512731.tif 000029
【図３Ｆ】
2008512731.tif 000030
【図３Ｇ】
2008512731.tif 000031
【図３Ｈ】
2008512731.tif 000032
【図４Ａ】
2008512731.tif 000033
【図４Ｂ】
2008512731.tif 000034
【図４Ｃ】
2008512731.tif 000035
【図４Ｄ】
2008512731.tif 000036
【図５Ａ】
2008512731.tif 000037
【図５Ｂ】
2008512731.tif 000038
【図５Ｃ】
2008512731.tif 000039
【図５Ｄ】
2008512731.tif 000040
【図６】
2008512731.tif 000041
【図７Ａ】
2008512731.tif 000042
【図７Ｂ】
2008512731.tif 000043
【図８Ａ】
2008512731.tif 000044
【図８Ｂ】
2008512731.tif 000045
【図８Ｃ】
2008512731.tif 000046
【図９】
2008512731.tif 000047
【図１０】
2008512731.tif 000048
【図１１】
2008512731.tif 000049
【国際調査報告】
2008512731.tif 000050
2008512731.tif 000051
2008512731.tif 000052
2008512731.tif 000053
2008512731.tif 000054